(57)【要約】【課題】昼夜を問わず新雪量を観測し、除排雪作業の要否判断を正確、且つ効率的に行うことを可能とする新規な構造からなる新雪量警報器、およびそれを用いた新規な構造の新雪量警報システムを提供する。【解決手段】警報を発する新雪量を適宜設定可能とする新雪量設定部５、および警報器部７を夫々接続し、設定時刻毎に、新雪量検出器２からの検出信号を受信し、その検出値が、設定新雪量に達するか、あるいは越えたときに、警報器部７を介して警報を発するよう自動制御可能とした制御部８を設けてなる新雪量警報器３である。【選択図】    図２
2004326709.tif 000002
【特許請求の範囲】
【請求項１】
新雪量を測定可能な新雪量検出器から出力される検出信号を受信可能であって、警報を発する新雪量を適宜設定、入力可能とする新雪量設定部、および光や音声等を発する警報が可能な警報器部を夫々接続してなり、予め設定された時刻毎か、あるいは適宜設定した時刻毎に、新雪量検出器からの検出信号を受信し、その検出値が、新雪量設定部に設定入力された設定新雪量に達するか、あるいは越えたときに、警報器部を介して警報を発するよう自動制御可能とした制御部を設けたものとしたことを特徴とする新雪量警報器。
【請求項２】
新雪量を測定可能な新雪量検出器から出力される検出信号を受信可能であって、警報を発する新雪量を適宜設定、入力可能とする新雪量設定部、および外部に露出する警報ランプや警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定新雪量に達するか、あるいは越えたときに、警報器部の警報ランプを点灯まはた点滅させると共に、警報ブザーを鳴らす等して警報を発するよう自動制御可能とした制御部を設けたものとしたことを特徴とする新雪量警報器。
【請求項３】
新雪量を測定可能な新雪量検出器から出力される検出信号を受信可能であって、警報を発する新雪量を低位新雪量と高位新雪量とに夫々適宜設定、入力可能とする新雪量設定部、および、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を設けたものとしたことを特徴とする新雪量警報器。
【請求項４】
新雪量を測定可能な新雪量検出器から出力される検出信号を受信し、その新雪量を逐次外部表示可能な新雪量表示部を設け、警報を発する新雪量を低位新雪量と高位新雪量とに夫々適宜設定、入力可能とする新雪量設定部、および、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を設けたものとしたことを特徴とする新雪量警報器。
【請求項５】
新雪量を測定可能な新雪量検出器から出力される検出信号を受信し、その新雪量を逐次外部表示可能な新雪量表示部と、受信した新雪量を逐次、デジタルまたはアナログ情報化して記録可能な新雪量記録部とを設け、警報を発する新雪量を低位新雪量と高位新雪量とに夫々適宜設定、入力可能とする新雪量設定部、および、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を設けたものとしたことを特徴とする新雪量警報器。
【請求項６】
新雪量を測定可能な新雪量検出器から出力される検出信号を受信し、その新雪量を逐次外部表示可能であって、警報を発する新雪量を低位新雪量と高位新雪量とに夫々適宜設定、入力可能とする新雪量表示設定部、および、新雪量検出器から受信した新雪量を逐次、デジタルまたはアナログ情報化して記録可能な新雪量記録部を設け、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量表示設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を設けたものとしたことを特徴とする新雪量警報器。
【請求項７】
水平平板状の測定ベースと、該測定ベース上の所定高さ位置に固定的に支持され、該測定ベース上面に向けて超音波を発振し、同測定ベース上面に降り積もった新雪からのエコーを検知して新雪量を検出可能とした検出器とからなる新雪量検出器を設け、当該新雪量検出器から出力される検出信号を受信可能であって、警報を発する新雪量を適宜設定、入力可能とする新雪量設定部、および光や音声等を発する警報が可能な警報器部を夫々接続してなり、予め設定された時刻毎か、あるいは適宜設定した時刻毎に、新雪量検出器からの検出信号を受信し、その検出値が、新雪量設定部に設定入力された設定新雪量に達するか、あるいは越えたときに、警報器部を介して警報を発するよう自動制御可能とした制御部を有する新雪量警報器を設けてなることを特徴とする新雪量警報システム。
【請求項８】
水平平板状の測定ベースと、該測定ベース上の所定高さ位置に固定的に支持され、該測定ベース上面に向けて超音波を発振し、同測定ベース上面に降り積もった新雪からのエコーを複数回検知して平均的新雪量を検出可能とした検出器とからなる新雪量検出器を設け、当該新雪量検出器から出力される検出信号を受信可能であって、警報を発する新雪量を適宜設定、入力可能とする新雪量設定部、および外部に露出する警報ランプや警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定新雪量に達するか、あるいは越えたときに、警報器部の警報ランプを点灯まはた点滅させると共に、警報ブザーを鳴らす等して警報を発するよう自動制御可能とした制御部を有する新雪量警報器を設けてなることを特徴とする新雪量警報システム。
【請求項９】
水平平板状の測定ベースと、該測定ベース上の所定高さ位置に固定的に支持され、該測定ベース上面に向けて超音波を発振し、同測定ベース上面に降り積もった新雪からのエコーを複数回検知して平均的新雪量を検出可能とした検出器とからなる新雪量検出器を設け、当該新雪量検出器から出力される検出信号を受信可能であって、警報を発する新雪量を低位新雪量と高位新雪量とに夫々適宜設定、入力可能とする新雪量設定部、および、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を有する新雪量警報器を設けてなることを特徴とする新雪量警報システム。
【請求項１０】
水平平板状の測定ベースと、該測定ベース上の所定高さ位置に固定的に支持され、該測定ベース上面に向けて超音波を発振し、同測定ベース上面に降り積もった新雪からのエコーを複数回検知して平均的新雪量を検出可能とした検出器とからなる新雪量検出器を設け、当該新雪量検出器から出力される検出信号を受信し、その新雪量を逐次外部表示可能な新雪量表示部を設け、警報を発する新雪量を低位新雪量と高位新雪量とに夫々適宜設定、入力可能とする新雪量設定部、および、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を有する新雪量警報器を設けてなることを特徴とする新雪量警報システム。
【請求項１１】
水平平板状の測定ベースと、該測定ベース上の所定高さ位置に固定的に支持され、該測定ベース上面に向けて超音波を発振し、同測定ベース上面に降り積もった新雪からのエコーを複数回検知して平均的新雪量を検出可能とした検出器とからなる新雪量検出器を設け、当該新雪量検出器から出力される検出信号を受信し、その新雪量を逐次外部表示可能な新雪量表示部と、受信した新雪量を逐次、デジタルまたはアナログ情報化して記録可能な新雪量記録部とを設け、警報を発する新雪量を低位新雪量と高位新雪量とに夫々適宜設定、入力可能とする新雪量設定部、および、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を有する新雪量警報器を設けてなることを特徴とする新雪量警報システム。
【請求項１２】
水平平板状の測定ベースと、該測定ベース上の所定高さ位置に固定的に支持され、該測定ベース上面に向けて超音波を発振し、同測定ベース上面に降り積もった新雪からのエコーを複数回検知して平均的新雪量を検出可能とした検出器とからなる新雪量検出器を設け、当該新雪量検出器から出力される検出信号を受信し、その新雪量を逐次外部表示可能であって、警報を発する新雪量を低位新雪量と高位新雪量とに夫々適宜設定、入力可能とする新雪量表示設定部、および、新雪量検出器から受信した新雪量を逐次、デジタルまたはアナログ情報化して記録可能な新雪量記録部を設け、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量表示設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を有する新雪量警報器を設けてなることを特徴とする新雪量警報システム。
【請求項１３】
新雪量警報器が、警報ブザーと同様の制御信号を出力可能とした外部ブザー用の出力ラインを有する、請求項７ないし１２何れか一項記載の新雪量警報システム。
【請求項１４】
新雪量検出器および新雪量警報器の夫々の外郭形状寸法が、凡そ１立方メートル前後の寸法内に設定され、比較的容易に移動、設置可能としてなる、請求項７ないし１２何れか一項記載の新雪量警報システム。
【発明の詳細な説明】
【０００１】
【発明の目的】
この発明は、検出器を屋外に設置して冬期における積雪量を、逐次、自動的に計測可能とした気象観測技術に関するものであって、特に、昼夜を問わず主要道路や鉄道、空港等の新雪量を機械的に監視して、その量が安全確保上で把握しなければならない一定量に達したことを知らせ、作業者が、除排雪作業を開始する時期を正確に判断することを可能になるようする新規な構造からなる新雪量警報器、およびそれを用いた新規な新雪量警報システムを提供しようとするものである。
【０００２】
【従来の技術】
我が国における主要な国道や県道は、冬期において２４時間体制で除雪が行われており、道路に積もった新雪を効率的に除排雪するには、通行車両によって踏み固められ、圧雪となって轍になったり、気温の低下によって凍結してしまう前に迅速に除雪しなければならず、特に夜間の除雪を担当する作業員は、前日からの気象予報に注意を払い、屋外に設置された目盛板を、夕方から翌朝にかけて度々覗いては新雪量を確認し、除排雪を必要とする積雪量に達したことを確認すると、時間に係わらず交通の安全を確保のために除排雪作業を開始する必要を生じてしまうことから、夜間の睡眠がとれない等、除雪作業員に掛かる負担は量り知れないものとなっていた。
【０００３】
また、新雪量が所定量に達したときに、警報を発する警報装置も使用されているが、このような警報では積雪の程度をつぶさに把握することが不可能であり、例えば、新雪量が少ない場合には除雪トラックを出動させ、新雪量が多い場合にはグレーダーやロータリー車を出動させる必要がある等といった、新雪量によって様々な除雪体制を整える必要があるような、特に空港のように徹底した除雪を必要とする場所等では、さらに細かな配慮を要することとなっていて、それらに必ずしも対応しきれていなかったし、対応できるようにしたものではかなり高価なものについていた。
【０００４】
除排雪作業に出動について適格な判断を下すために有効な技術として、例えば特開平１１−２１１８４６号公報に開示のある、雪の表面に向けて超音波を発振し、この表面で反射されたエコー波を受振して雪の密度を検知するようにした「積雪深計」発明が既に開発、提案されており、確かにこれによって除排雪作業の要否判断は正確に行えるものの、警報機能を備えておらず、この「積雪深計」による除排雪作業の要否判断は、繰り返し目視してその都度確認しなければならないという問題を残す外、何よりも機器が高価なものになる不都合を解消できないものであった。
【０００５】
また、特開昭６３−８８４８９号公報には、縦に一定間隔で配列された光検出部と、これらに対峙するレーザー発光部とを設けて積雪量を観測可能とし、所定積雪量を越えたときに警報を発する構造とした「警報器付自動積雪深計」発明が提案されていて、この警報器付自動積雪深計によれば、夜間においても警報が発せられるまで除雪作業員は安心して熟睡することができるものの、警報を発する積雪量は、予め設定された単一の積雪量のみに限定されるため、警報自体からは多様な出動体制の判断が不可能となり、しかも光検出部とレーザー発光部が地面に立設、固定された構造のために簡単には移動、設置が適わない外、やはり高価なものについてしまうという避けられない欠点もあった。
【０００６】
この発明は、以上検証してきたように、従前までのこの種のものの抱える事情に疑問を抱き、逸速くその開発、研究に着手し、長期に渡る試行錯誤と幾多の試作、実験とを繰り返してきた結果、今回、遂に新規な構造の新雪量警報器、およびそれを用いた新規な構造の新雪量警報システムを実現化することに成功したものであり、以下では、図面に示すこの発明を代表する実施例と共に、その構成を詳述することとする。
【０００７】
【発明の構成】
図面に示すこの発明を代表する実施例からも明確に理解されるように、この発明の新雪量警報器は、基本的に次のような構造から成り立っている。
即ち、新雪量を測定可能な新雪量検出器から出力される検出信号を受信可能であって、警報を発する新雪量を適宜設定、入力可能とする新雪量設定部、および光や音声等を発する警報が可能な警報器部を夫々接続してなり、予め設定された時刻毎か、あるいは適宜設定した時刻毎に、新雪量検出器からの検出信号を受信し、その検出値が、新雪量設定部に設定入力された設定新雪量に達するか、あるいは越えたときに、警報器部を介して警報を発するよう自動制御可能とした制御部を設けてなる構造を要旨とする新雪量警報器である。
【０００８】
この基本的な構造からなる新雪量警報器を、より具体的な構造のものとして示すと、新雪量を測定可能な新雪量検出器から出力される検出信号を受信可能であって、警報を発する新雪量を適宜設定、入力可能とする新雪量設定部、および外部に露出する警報ランプや警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定新雪量に達するか、あるいは越えたときに、警報器部の警報ランプを点灯まはた点滅させると共に、警報ブザーを鳴らす等して警報を発するよう自動制御可能とした制御部を設けたものとした新雪量警報器ということができる。
【０００９】
また、この発明に包含される新雪量警報器を、さらに具体的に示すならば、新雪量を測定可能な新雪量検出器から出力される検出信号を受信可能であって、警報を発する新雪量を低位新雪量と高位新雪量とに夫々適宜設定、入力可能とする新雪量設定部、および、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を設けた新雪量警報器であるということができる。
【００１０】
そして、前記のとおりの構造を基本とするこの発明の新雪量警報器は、以下のような幾つかのより望ましい態様としたものをも包含する。
先ず、その一つが、新雪量を測定可能な新雪量検出器から出力される検出信号を受信し、その新雪量を逐次外部表示可能な新雪量表示部を設け、警報を発する新雪量を低位新雪量と高位新雪量とに夫々適宜設定、入力可能とする新雪量設定部、および、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を設けたものとした新雪量警報器である。
【００１１】
また、他の一つは、新雪量を測定可能な新雪量検出器から出力される検出信号を受信し、その新雪量を逐次外部表示可能な新雪量表示部と、受信した新雪量を逐次、デジタルまたはアナログ情報化して記録可能な新雪量記録部とを設け、警報を発する新雪量を低位新雪量と高位新雪量とに夫々適宜設定、入力可能とする新雪量設定部、および、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を設けたものとした新雪量警報器ということができる。
【００１２】
さらに他の一つに、新雪量を測定可能な新雪量検出器から出力される検出信号を受信し、その新雪量を逐次外部表示可能であって、警報を発する新雪量を低位新雪量と高位新雪量とに夫々適宜設定、入力可能とする新雪量表示設定部、および、新雪量検出器から受信した新雪量を逐次、デジタルまたはアナログ情報化して記録可能な新雪量記録部を設け、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量表示設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を設けた新雪量警報器も包含される。
【００１３】
新雪量設定部は、新雪量の観測前に、観測者が警報を必要とする新雪量を、観測者自らの手によって予め設定入力、および変更入力可能とし、望ましくは低位新雪量と、高位新雪量とを夫々個別に、あるいは、低位新雪量、中位新雪量ならびに高位新雪量等のように複数段階毎に、警報を発する新雪量を任意に設定可能とする機能を果たすものであり、設定新雪量を、当該新雪量警報器の利用者が適宜自由に設定、変更可能な構造としなければならず、数値入力用のボタンや操作ノブ、調整摘み等の設定、入力部分を設けたものとすべきであり、設定新雪量を表示して設定内容を確認可能とするのが望ましく、設定新雪量の入力信号を制御部に転送する機能のみを果たすものとすることができる外、観測中の新雪量検出器から出力された検出信号が、設定入力された設定新雪量に達するか、あるいは設定新雪量を越えたときに、警報器部が自動的に警報を発することを可能とする機能を持たせたり、または、新雪量検出器から出力された検出信号が、設定入力された設定新雪量に達するか、あるいは設定新雪量を越えたときに、そのことを制御部に知らせる信号を発するようにしたものとすることができる。
【００１４】
新雪量表示部は、新雪量検出器から出力された検出信号を受信し、その受信信号に基づいて適宜演算処理することによって得られた新雪量を、または、新雪量検出器が、検出値を新雪量に変換する演算処理まで実行し、受信した新雪量を、あるいは、新雪量検出器から出力された検出信号を受信し、その受信信号に基づいて演算処理を実行する演算処理部（制御部）を通じて得られた新雪量を、逐次、この新雪量警報器の外部適所に数値、または目盛りおよび指針等によって表示し、観測者が、直前に観測された新雪量を少なくとも視覚的に認識可能とする機能を果たすものであり、例えば、液晶表示板やＬＥＤ表示板等のデジタル表示を行うものや、または、固定された目盛り板に対して相対的に移動する指針を標示するか、あるいは固定的に設けられた指針に対して相対的に移動する目盛り板を設けたもののようにアナログ表示するもの等とすることができる。
【００１５】
新雪量表示設定部は、前記新雪量設定部および前記新雪量表示部の双方の機能を兼ね備えたものであり、新雪量の観測前に、警報が必要となる新雪量を予め、観測者によって任意に設定、入力可能とすると共に、新雪量検出器から出力された検出信号に基づき新雪量を逐次、表示可能とする機能を果たし、随時利用者の必要に応じて警報を発する新雪量を設定、入力可能であり、しかもその入力値を比較的容易に変更可能とするスイッチボタンや摘み等の入力部分を設けたものとしなければならず、予め設定された時刻毎か、あるいは利用者が適宜設定した時刻毎に検出された新雪量を、逐次更新表示可能な表示部分を設けるべきであり、該逐次検出した検出新雪量の表示部分と、利用者が適宜設定、入力した設定新雪量の表示部分との双方を、近接するよう配置させ、両者を一目で比較可能な状態に表示できるものとするのが望ましい。
【００１６】
新雪量記録部は、新雪量検出器によって逐次、検出される新雪量を、その都度、記録用紙に直接書き込み、あるいは印字する等して記録するか、または、半導体メモリーや読み書き用の磁気ディスク等に電気的に記録する等して、測定中に渡る新雪量をアナログ情報化するか、デジタル情報化するかして自動的に記録を残す機能を果たすものであり、観測時刻毎の新雪量の数値を記録するか、あるいは経過時間と新雪量との関係をグラフ化したものとする等して記録するものとすべきであって、新雪量警報器とは別体に設けられ、制御部に接続されたパソコン、あるいは制御部によって制御されるプリンターや、ハードディスク、フロッピーディスク、光磁気ディスク等の各種ドライブとすることも可能である。
【００１７】
警報器部は、逐次自動的に観測されることによって得られた新雪量が、設定された設定新雪量に達するか、あるいは越えたときに、光および／または音等を自動的に発して、新雪量が既に設定値に達していることを、利用者や当該新雪量警報器の周辺に居る人に報知し、警戒を呼びかける機能を果たすものであり、制御部や新雪量設定部、新雪量表示設定部等の何れかの制御を受けて警報を発するものとするか、あるいは当該警報器部自体に簡易的な制御部を有し、新雪量検出器からの検出信号を受信し、新雪量設定部の設定新雪量と比較して自動的に警報を発するものとすること等が可能であり、例えば、制御部からの制御を受けて作動する警報ランプを設け、これを点灯あるいは点滅させて警報を発するものとしたり、必要に応じて緑色の低位警報ランプと、赤色の高位警報ランプとを設け、新雪量が未だ低い時点で低位警報ランプを発光させ、新雪量が高くなったときに高位警報ランプを発光させて新雪量を把握し易くすることも可能であり、警報ブザーを設けて新雪量に応じた音声警報を発する構造とすることも可能である。
【００１８】
制御部は、新雪量警報器に設けられた新雪量設定部や警報器部等の各部を統合的に制御可能とし、さらに新雪量検出器を制御して新雪量の検出と、その観測値に基づいて自動的に警報を発するといった一連の動きを制御して新雪量警報システムの全体を統一的に管理する機能を果たすものであり、予め設定された時刻毎か、あるいは適宜設定した時刻毎に、新雪量検出器からの検出信号を受信し、その検出値が、予め観測者によって設定入力された設定新雪量に達しているか否か、あるいは同設定新雪量を越えているか否かを自動的に判断し、設定新雪量に達し（越え）た時に、警報器部を作動させて観測者に報知するよう、当該新雪量警報器を、または新雪量検出器および当該新雪量警報器を自動的に制御可能とするものとすることが可能である外、設定時刻毎に新雪量検出器を作動させ、その検出値を受信した新雪量設定部から、設定新雪量に達するか、設定新雪量を越えた旨の信号が発振されたときに、警報部を作動させるよう、当該新雪量警報器を、または新雪量検出器および当該新雪量警報器を自動的に制御可能としたものとすることが可能であり、例えば、各種シーケンサあるいはマイクロコンピュータ等からなり、制御プログラムを記憶したメモリが接続されたＣＰＵ（ｃｅｎｔｒａｌ  ｐｒｏｃｅｓｓｉｎｇ  ｕｎｉｔ）に、Ｉ／Ｏインターフェイスを介して新雪量検出器からの入力回路や、新雪量設定部からの入力回路、および警報器部への出力回路等を接続したものとすることが可能であり、当該制御部が、設定時刻毎に、新雪量検出器を起動させて新雪量を検出するよう制御する構造とすることができる外、新雪量検出器自体が、設定時刻毎に、新雪量を自動的検出し、その検出信号を出力する構造とすることも可能である。
【００１９】
【関連する発明】
前記した新雪量警報器に関連し、この発明には、当該新雪量警報器を用いた新雪量警報システムも包含され、基本的に次のとおりのものである。
即ち、水平平板状の測定ベースと、該測定ベース上の所定高さ位置に固定的に支持され、該測定ベース上面に向けて超音波を発振し、同測定ベース上面に降り積もった新雪からのエコーを検知して新雪量を検出可能とした検出器とからなる新雪量検出器を設け、当該新雪量検出器から出力される検出信号を受信可能であって、警報を発する新雪量を適宜設定、入力可能とする新雪量設定部、および光や音声等を発する警報が可能な警報器部を夫々接続してなり、予め設定された時刻毎か、あるいは適宜設定した時刻毎に、新雪量検出器からの検出信号を受信し、その検出値が、新雪量設定部に設定入力された設定新雪量に達するか、あるいは越えたときに、警報器部を介して警報を発するよう自動制御可能とした制御部を有する新雪量警報器を設けてなる新雪量警報システムである。
【００２０】
そして、この発明の新雪量警報システムを、より具体的には、水平平板状の測定ベースと、該測定ベース上の所定高さ位置に固定的に支持され、該測定ベース上面に向けて超音波を発振し、同測定ベース上面に降り積もった新雪からのエコーを複数回検知して平均的新雪量を検出可能とした検出器とからなる新雪量検出器を設け、当該新雪量検出器から出力される検出信号を受信可能であって、警報を発する新雪量を適宜設定、入力可能とする新雪量設定部、および外部に露出する警報ランプや警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定新雪量に達するか、あるいは越えたときに、警報器部の警報ランプを点灯まはた点滅させると共に、警報ブザーを鳴らす等して警報を発するよう自動制御可能とした制御部を有する新雪量警報器を設けた新雪量警報システムとなる。
【００２１】
そして、さらに具体的なものとしては、水平平板状の測定ベースと、該測定ベース上の所定高さ位置に固定的に支持され、該測定ベース上面に向けて超音波を発振し、同測定ベース上面に降り積もった新雪からのエコーを複数回検知して平均的新雪量を検出可能とした検出器とからなる新雪量検出器を設け、当該新雪量検出器から出力される検出信号を受信可能であって、警報を発する新雪量を低位新雪量と高位新雪量とに夫々適宜設定、入力可能とする新雪量設定部、および、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を有する新雪量警報器を設けてなる新雪量警報システムであるということが可能である。
【００２２】
さらには、水平平板状の測定ベースと、該測定ベース上の所定高さ位置に固定的に支持され、該測定ベース上面に向けて超音波を発振し、同測定ベース上面に降り積もった新雪からのエコーを複数回検知して平均的新雪量を検出可能とした検出器とからなる新雪量検出器を設け、当該新雪量検出器から出力される検出信号を受信し、その新雪量を逐次外部表示可能な新雪量表示部を設け、警報を発する新雪量を低位新雪量と高位新雪量とに夫々適宜設定、入力可能とする新雪量設定部、および、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を有する新雪量警報器を設けてなる新雪量警報システムであるということもできる。
【００２３】
また、より望ましいものとして示すならば、水平平板状の測定ベースと、該測定ベース上の所定高さ位置に固定的に支持され、該測定ベース上面に向けて超音波を発振し、同測定ベース上面に降り積もった新雪からのエコーを複数回検知して平均的新雪量を検出可能とした検出器とからなる新雪量検出器を設け、当該新雪量検出器から出力される検出信号を受信し、その新雪量を逐次外部表示可能な新雪量表示部と、受信した新雪量を逐次、デジタルまたはアナログ情報化して記録可能な新雪量記録部とを設け、警報を発する新雪量を低位新雪量と高位新雪量とに夫々適宜設定、入力可能とする新雪量設定部、および、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を有する新雪量警報器を設けた新雪量警報システムとなる。
【００２４】
そして、最も望ましいものとしては、水平平板状の測定ベースと、該測定ベース上の所定高さ位置に固定的に支持され、該測定ベース上面に向けて超音波を発振し、同測定ベース上面に降り積もった新雪からのエコーを複数回検知して平均的新雪量を検出可能とした検出器とからなる新雪量検出器を設け、当該新雪量検出器から出力される検出信号を受信し、その新雪量を逐次外部表示可能であって、警報を発する新雪量を低位新雪量と高位新雪量とに夫々適宜設定、入力可能とする新雪量表示設定部、および、新雪量検出器から受信した新雪量を逐次、デジタルまたはアナログ情報化して記録可能な新雪量記録部を設け、外部に露出する低位警報ランプ、高位警報ランプならびに警報ブザーを有する警報器部を夫々接続してなり、予め設定された時刻毎か、あるいは適宜設定した時刻毎に、新雪量検出器からの検出信号を受信し、その検出値が、新雪量表示設定部に設定入力された設定低位新雪量に達するか、あるいは越えたときには、低位警報ランプを点灯または点滅させ、さらに設定高位新雪量に達するか、あるいは越えたときには、高位警報ランプを点灯または点滅させると共に、警報ブザーを鳴らすよう自動制御可能とした制御部を有する新雪量警報器を設けてなる新雪量警報システムであるということができる。
【００２５】
この発明の新雪量警報システムは、この発明の新雪量警報器と、新雪量を測定可能な新雪検出器とを組み合わせて用いることにより、所定時刻毎の新雪量を自動的に観測し、設定新雪量に達したときか、あるいは設定新雪量を越えたときに、自動的に警報を発するという機能を果たす構造としなければならない。新雪量検出器は、所定高さ寸法毎に略水平状の赤外線またはレーザー光を発光し、それぞれの光をセンサーで受信し、光線が新雪によって遮断された高さを新雪量として検知するものや、所定面積に降り積もる新雪を重量計によって測定し、積雪量を得るもの等とすることが可能であるが、測定精度や装置価格、および運搬や設置の際の作業性等を考慮すると、超音波によって新雪量の測定を行うものを利用するのが望ましいといえる。
【００２６】
また、新雪量警報器は、警報ブザーと同様の制御信号を出力可能とした外部ブザー用の出力ラインを設けたものとし、新雪量警報器の設置場所から離れた控室等で仮眠をとる観測者や除雪作業者等に警報を発することができるようにしたものとすることができる外、新雪量検出器および新雪量警報器の夫々の外郭形状寸法を、凡そ１立方メートル前後の寸法内に設定したものとすることにより、小人数であっても比較的容易に、運搬移動および設置ができるよう形成したものとするのが望ましい。
以下では、図面に示すこの発明を代表する実施例と共に、その構造について詳述することとする。
【００２７】
【実施例１】
図１の新雪量警報システムの概略的な正面図、および図２の新雪量警報システムの概念的ブロック図に示される事例は、超音波を利用して新雪量を検出可能な新雪量検出器を設け、該新雪量検出器によって検出された新雪量を逐次表示すると共に、警報を発する設定低位新雪量と、設定高位新雪量とを夫々適宜設定、入力可能とする新雪量表示警報設定部、ならびに、低位警報ランプ、高位警報ランプおよび警報ブザー等からなる警報器部を接続し、設定時刻毎に、前記新雪量検出器からの検出信号を受信し、その検出値が設定低位新雪量を越えたときに低位警報ランプを点滅させ、検出値が設定高位新雪量を越えたときに、高位警報ランプを点滅させると同時に、警報ブザーを鳴らすように自動制御可能とする制御部を有する新雪量警報器を設けた新雪量警報システムの、基本的構造を有する代表的な一実施例を示すものである。
【００２８】
新雪量検出器２は、幅が約３００ｍｍ、奥行が凡そ７００ｍｍに設定された矩形平板状の測定ベース２１の奥行方向縁部付近の略中央に、高さ約９００ｍｍの支柱２２を立設し、その上端側には長さ５００ｍｍ前後の棒状アーム２３の基端側を上下進退移動調節可能とするよう連結して同アーム２３を、水平状に支持したものとした上、該アーム２３の先端側には、超音波検出器部２４をアーム２３に沿ってスライド移動、調節可能とするよう取付け固定し、所定高さ位置に吊上げ支持されたものとなっている。
【００２９】
超音波検出器部２４は、鉛直下方に向けて超音波を発振し、発振された超音波が、測定ベース２１の中央付近に到達するように設定され、同測定ベース２１上に降り積もった新雪面で発生されるエコーの到達速度を計測し、検出信号として出力するものとなっている。
【００３０】
新雪量警報器３は、箱形本体３１内に、新雪量表示部４、新雪量設定部５、警報器部７および制御部８が設けられており、制御部８の主要部分を形成するマイクロシーケンサ８が、図示しないインターフェースを有して設けられ、その出力回路の一部は、本体３１の外部に露出して前記新雪量検出器２の、超音波検出器２４から延伸された測定ケーブル２５を、接続可能とする図示しない接続端子を形成し、新雪量検出器２の検出トリガー信号を所定時刻毎に複数回発信し、これに応じて新雪量検出器２が検出、出力する検出信号を、新雪量表示部４が受信し、逐次、新雪量の検出値を表示するものとなっている。
【００３１】
また、マイクロシーケンサ８の出力回路の他の一部には、警報器部７を形成する低位警報ランプ７２および高位警報ランプ７３からなる警報ランプ７１、ならびに警報ブザー７４が、夫々個別に制御可能な状態に接続され、低位警報ランプ７２は、本体３１前面の適所に露出状に設けられた緑色ＬＥＤ（ｌｉｇｈｔ  ｅｍｉｔｔｉｎｇ  ｄｉｏｄｅ）であり、マイクロシーケンサ８からの出力信号を受けると点滅発光するよう設定され、高位警報ランプ７３は、同様に本体３１前面の低位警報ランプ７２に隣接する適所に露出するよう設けられた赤色ＬＥＤであって、マイクロシーケンサ８からの出力信号を受けて点滅発光するものとなっている。そして、警報ブザー７４は、本体３１前面の適所に設置されたスピーカーであり、マイクロシーケンサ８からの出力信号を受けて警報ランプ７１の点滅と略同期するように断続する警告音を発するようになっており、隣接する適所に設けられたブザー停止ボタン７５を、利用者が押圧操作することにより、警告音を停止可能な構造となっている。
【００３２】
さらに、新雪量警報器３の本体３１内には、新雪量検出器２の測定ケーブル２５が接続される接続端子に繋がる入出力回路と、マイクロシーケンサ８の入力回路の他の一部とに接続された新雪量表示部４および新雪量設定部５が一体的に設けられ、その新雪量表示設定パネル５１が、本体３１前面に露出状に設けられている。
【００３３】
新雪量表示部４は、新雪量検出器２の測定ケーブル２５からの検出信号を、一度の測定に際して複数回受信して、大きな誤差を含む測定値を排除して近似する測定値を平均化すると共に、その検出値を適宜演算処理することによって新雪量を計算した上、新雪量表示設定パネル５１の適所に、逐次、新雪量を表示するようになっており、したがって新雪量表示部４が、新雪量検出値を演算処理するという制御部８の一部の機能を果たすものとされている。
【００３４】
新雪量設定部５は、新雪量表示設定パネル５１に設けられた図示しない入力ボタンを、利用者が操作することにより、警報を発する低位新雪量と高位新雪量とを夫々個別入力可能とするものであって、設定入力された低位新雪量および高位新雪量の夫々を、新雪量表示設定部５１の逐次表示される測定結果としての新雪量と比較容易な近接箇所に、隣接して表示するものとなっており、新雪量表示部４が演算処理した新雪量が低位新雪量を越えたとき、および高位新雪量を越えたときの夫々において、マイクロシーケンサ８に向けて、設定された低位新雪量を越えたことを知らせる信号、および設定された高位新雪量を越えたことを知らせる信号を夫々、個別に発信するものとなっている。
【００３５】
マイクロシーケンサ８は、新雪量設定部５から低位新雪量を越えたことを知らせる信号を受信すると、低位警報ランプ「ＧＬ」７２を点滅、発光させ、その状態を、逐次測定する新雪量が低位新雪量以下になるまで継続、維持するものとなっている。また、新雪量設定部５から高位新雪量を越えたことを知らせる信号が発信されると、高位警報ランプ「ＲＬ」７３を点滅、発光させると同時に、警報ブザー７４を断続的に鳴らし、その状態を新雪量が高位新雪量以下になるまで継続、維持するよう構成されている。
【００３６】
さらに、マイクロシーケンサ８の出力回路の一部からは、本体３１の適所に露出状となって、外部ブザー７６を接続可能とする外部ブザー用の出力端子（図示せず）が、設けられたものとなっている。また、新雪量警報器３の本体３１の前面適所には、起動用の電源スイッチ９が設けられ、本体３１の背面側からは、電源ケーブル９１が導出されて新雪量警報システム１全体を起動する交流電源を得るものとなっている。
【００３７】
【実施例２】
図３の新雪量警報システムの概略的正面図、および図４の新雪量警報システムの概念的なブロック図に示される事例は、この発明の新雪量警報器を用いた新雪量警報システムに包含される他の実施例を示すものであり、前記実施例１に示した新雪量警報システム１における新雪量警報器３に対して新雪量記録部６を追加し、新雪量の測定開始から測定終了に至る、測定時刻毎の新雪量データを逐次記録、保存可能とするよう構成されたものである。
【００３８】
新雪量検出器２および新雪量警報器３の基本的構成は、前述の実施例１に示した新雪量警報システム１のものと略同様なので、新たに追加された新雪量記録部６についてのみ説明すると、当該新雪量記録部（図４中の記録計）６は、新雪量警報器３の箱形本体３１内に設けられ、新雪量表示部４が出力する新雪量を、本体３１の前面適所に設けられた、新雪量記録表示パネル６１に、デジタル表示すると共に、例えば１分毎に新雪量検出器２に対して起動信号を送信し、新雪量検出器２からの新雪量検出信号をその都度、受信して演算処理を実行し、同新雪量記録表示パネル６１の下側適所に設けた、液晶表示パネル、ブラウン管、あるいは、経過時間方向にロール状の記録用紙を送り、プリントやペンにより表示する記録、表示器によって経過時間に対する新雪量の変化を、横軸に新雪量、縦軸に経過時間を示したグラフ上に点または線によってアナログ表示するものとなっている。
【００３９】
当該新雪量記録部６は、記録用紙に記入された新雪量データとして出力させるものとすることができる外、検出した新雪データを、一体に設けられたハードディスクや半導体メモリー等の記録装置に記憶したり、接続された外部パソコンやフロッピーディスク、その外の記録媒体に出力して記録、保存できるものとすることが可能である。
【００４０】
また、前記新雪量警報システム１は、図５のその他の新雪量警報システムのブロック図に示すように、新雪量表示部４や新雪量設定部５を設けず、制御部を形成するマイクロシーケンサ８が、新雪量検出器２からの新雪量検出信号の受信や、警報新雪量の設定入力等の機能も果たすものとし、例えば、警報新雪量の設定は、マイクロシーケンサ８のプログラムソフトに組み込まれたものとすることが可能であり、したがってこの場合には、警報新雪量の設定を変更するときに、マイクロシーケンサ８のプログラムソフトを変更する必要がある。また、逐次検出された新雪量は、新雪量記録部６の記録計を見て確認することとなる。
【００４１】
【発明の作用】
以上のとおりの構成からなるこの発明の新雪量警報器３を用いた新雪量警報システム１は、基本的に、図６の新雪量警報器の警報動作のフローチャートに示されるように制御されるものとなっている。
新雪量警報システム１は、図１中に示すように、雪の吹き溜まり箇所や、吹き払い箇所、雪塊が落下してくるような場所等、積雪条件の特異箇所を避け、設置される地域の平均的な積雪量となる屋外の適所に、新雪量検出器２を固定状に設置し、その測定ケーブル２５を、新雪量警報器３が設置されている屋内に引き込み、同新雪量警報器３に接続した後に、観測者が電源スイッチ９を起動操作することにより、新雪量警報器３の制御部であるマイクロシーケンサ８が起動され、制御プログラムの実行を開始するものとなる。
【００４２】
マイクロシーケンサ８が起動すると、先ず、観測者による新雪量設定部５への設定入力が必要となり、新雪量表示設定パネル５１を介し、低位警報新雪量および高位警報新雪量の夫々を入力すると、これに基づいて自動的に観測を開始する。図６中にａで示すように、同マイクロシーケンサ８に内蔵されたタイマーに基づき、制御プログラムに予め設定されているか、起動の際に観測者が適宜設定した時間の経過を待つこととなるが、例えば、午後８時１０分に起動すると、その起動時刻を基準に１５分毎に測定を行うというように、起動時刻を基準として設定時間間隔毎に新雪量を測定するよう制御することが可能である外、午後８時１０分に起動した場合であっても、午後８時１５分に測定を行い、次に午後８時３０分に測定を行うというように、標準時刻を基準に、所定時間間隔の定刻毎に新雪量を測定するように制御するものとすることができる。
【００４３】
設定時刻が来ると、同図中ｂに示すように、マイクロシーケンサ８は、新雪量検出器２に起動信号を複数回に渡って送信し、この信号を受信した新雪量検出器２超音波検出器部２４が、その都度、超音波を図１中の破線矢印に示すように鉛直下方に向けて発振させる。このとき積雪がない場合には、測定ベース２１上面に反射して来た超音波を、超音波検出器部２４が受信することとなり、新雪量ゼロの検出信号が複数回に渡り、新雪量警報器３に送信されることとなる。
【００４４】
新雪量検出器２超音波検出器部２４からの検出信号を受けた新雪量表示部４は、大きな測定誤差を含む測定を排除して近似する測定値のみを平均化し、その検出値を適宜演算処理することによって自動的に新雪量を計算し、図６中のｃに示すように新雪量表示設定パネル５１の適所に、現在の新雪量として「０」ｍｍと数値表示する。
【００４５】
続いて新雪量表示部４を通じて新雪量を受信したマイクロシーケンサ８は、同図中のｄに示すように、積算新雪量が、低位警報新雪量を越えたか否かを判断し、検出した新雪量が「０」ｍｍなので、「Ｎｏ」と判断し、さらに、同図中ｅに示すように高位警報新雪量を越えたか否かを判断し、同様にＮｏを選択し、再度ａで示されるように、次の測定時刻を待つこととなる。
【００４６】
次の測定時刻が来ると、再度前述と同様の測定を実行することとなるが、そのとき図１中に二点鎖線で示される高さ（新雪量）Ｈまで積雪があったときには、新雪量表示部４が図６中のｃにしたがって新雪量表示設定パネル５１の適所に新雪量Ｈを表示し、マイクロシーケンサ８が、同図中のｄを実行し、新雪量Ｈが、低位警報新雪量を越えている場合には、「Ｙｅｓ」を判断して同図中ｆに示すように、低位警報ランプ「ＧＬ」７２を点滅、発光させ、続いて、同図中ｅを実行して新雪量Ｈが、高位警報新雪量を越えていない場合には、「Ｎｏ」を選択して次の設定時刻を待つａを実行することとなり、もし、新雪量Ｈが、高位警報新雪量を越えていた場合には、「Ｙｅｓ」を選択し、同図中のｇのように、高位警報ランプ「ＲＬ」７３を点滅、発光させると同時に、同図中のｈに示すように警報ブザー７４および外部ブザー７６を「ＯＮ」操作して断続的に警告音を発するよう制御するものとなる。
【００４７】
警報ブザー７４および外部ブザー７６は、観測者が図１中のブザー停止ボタン７５を操作することによって停止することが可能であり、また、検出された新雪量Ｈが雪解け等によって高位警報新雪量よりも少なくなったときには、高位警報ランプ７３、警報ブザー７４および外部ブザー７６を自動的に停止させ、さらに、低位警報新雪量よりも低くなったときには、低位警報ランプ７２もまた同様に、その点滅、発光を自動的に停止させるものとなる。
【００４８】
図３中に示した新雪量警報システム１は、図１に示した前述の新雪量警報システム１と略同様に自動制御されるよう構成されているので、新たに追加された新雪量記録部６の制御についてのみ示すと、当該新雪量記録部６は、新雪量表示部４が出力する新雪量信号を、新雪量記録表示パネル６１にデジタル表示し、さらに、例えば１分置き毎に新雪量検出器２から出力される新雪量検出信号を演算処理し、同新雪量記録表示パネル６１に表示された、横軸に新雪量、縦軸に経過時間を示したグラフ上に連続的にアナログ表示するものとなっている。
【００４９】
図５に示した新雪量警報システム１は、新雪量表示部および新雪量設定部が設けられていないので、観測者が現在の新雪量を知ろうとする場合には、新雪量記録部（図５中の記録計）６の図示しない新雪量記録表示パネルに逐次表示される測定値を読み取ることとなる。また、警報新雪量の設定は、同図中のマイクロシーケンサ８の制御プログラムによって予め設定されたているので、観測者による入力は必要なく、電源スイッチを操作して起動すれば、新雪量の観測を開始することが可能であり、警報新雪量を変更する場合には、制御プログラムを変更するか、あるいは制御プログラムを記憶した半導体メモリー等の記憶媒体を、希望する警報新雪量に設定されたものと交換する必要がある。
【００５０】
【発明の効果】
以上のとおり、この発明の新雪量警報器によれば、何よりも先ず、新雪量設定部を設けたことにより、観測者が警報を必要とする任意の新雪量に、自在に設定入力、および設定変更を行うことができるようになり、地方やその地形による気象条件の違いや、除排雪作業の条件等、様々な条件に応じて警報新雪量を設定することが可能となって、より適正な警報を発することができるようになる上、低位警報ランプと高位警報ランプとを設けたものとすれば、低位警報ランプが発光した場合には、軽微な除雪作業で済み、高位警報ランプが発光したときには、さらに能力の高い除排雪機械を出動させる必要があるといった判断が可能となり、特に夜間の除雪を行う作業員にとっては、出動まで安心して熟睡することができ、しかも準備段階から、新雪量をつぶさに把握して判断できるので、正確且つ効率的に除排雪作業に出動することができるようになり、除雪作業員への労働負担を大幅に削減することができるうという秀れた特徴が得られるものである。
【００５１】
また、この発明の新雪量警報システムによれば、屋外に設置する新雪量検出器を、測定ベース上に降り積もる新雪量を、その上方に吊上げ状に固定、支持された検出器によって超音波測定するように構成したことにより、比較的小型なものとすることができる上、測定ベースと検出器とを一体化した状態のまま、小人数による作業によって比較的容易に移動、設置することが可能となり、気象条件や設置場所の環境等の変化に応じて設置場所を容易に変更することができるようになり、常に正確な新雪量を観測できる条件を簡便に整えることができ、また、室内に設置された新雪量警報器に新雪量表示部や新雪量記録部等を設けたことにより、警報が発せられなくとも、室内で容易に最新の新雪量を把握することができるようになり、新雪量観測への信頼性が高まって除雪作業員が、出動時刻まで安心して睡眠をとることができるようになるという秀れた効果を発揮できる。
【００５２】
特に、実施例１に説明した新雪量警報システム１は、前記した特徴に加え、新雪量警報器３の制御部としてマイクロシーケンサ８を設け、新雪量表示部４と新雪量設定部５とを組み合わせた構造としたことにより、比較的廉価な部品構成によって制御プログラムを実行可能とすることができ、しかも低位警報ランプ「ＧＬ」７２や高位警報ランプ「ＲＬ」７３をＬＥＤによって形成したので、消費電力を低く抑えることができる外、実施例２の新雪量警報システム１のように新雪量記録部６を設けることにより、測定の開始から終了までの新雪量の変化を把握することができるので、例えば、低位警報ランプが発光したときに、これまでの経過時間毎の新雪量の変化と気象情報とを考慮すれば、今後の新雪量をある程度予測して、状況に応じた除排雪作業の準備に早い段階で取り掛かることも可能となり、より正確な状況判断ができるようになるという効果を発揮する。
【００５３】
叙述の如く、この発明の新雪量警報器、およびそれを用いた新雪量警報システムは、その新規な構成によって所期の目的を遍く達成可能とするものであり、しかも製造も比較的容易で、従前からの大掛かりな警報器付自動積雪深計に比較し、遥かに経済的なものとすることができる上、比較的小型で移動、設置の作業性も大幅に高めることができ、消費電力を削減して費用の削減を達成可能とするものであり、しかも警報新雪量を自在に変更、設定可能としてあり、山間部や平野部、市街地等、除雪作業の出動条件が異なる地域にも、簡便な設定操作によって幅広く対応することができ、昼夜を問わず正確且つ迅速な除排雪作業によって的確な安全確保が求められる道路管理者や鉄道関係者および空港管理者等において高く評価され、広範に渡って利用、普及していくものになると予想される。
【図面の簡単な説明】
図面は、この発明の新雪量警報器、およびそれを用いた新雪量警報システムの技術的思想を具現化した代表的な幾つかの実施例を示すものである。
【図１】新雪量警報システムの基本的な構造を示す正面図である。
【図２】新雪量警報器の基本的な構造を示すブロック図である。
【図３】一部に変更を加えた新雪量警報システムの構造を示す正面図である。
【図４】一部に変更を加えた新雪量警報器の構造を示すブロック図である。
【図５】この発明に包含される新雪量警報器を示すブロック図である。
【図６】新雪量警報器の基本的な警報動作を示すフローチャートである。
【符号の説明】
１      新雪量警報システム
２      新雪量検出器
２１    同  測定ベース
２２    同  支柱
２３    同  アーム
２４    同  超音波検出器部
２５    同  測定ケーブル
３      新雪量警報器
３１    同  箱形本体
４      新雪量表示部
５        新雪量設定部
５１    同  新雪量表示設定パネル（新雪量表示設定部）
６        新雪量記録部
６１    同  新雪量記録表示パネル
７      警報器部
７１    同  警報ランプ
７２    同  低位警報ランプ（ＧＬ）
７３    同  高位警報ランプ（ＲＬ）
７４    同  警報ブザー
７５    同  ブザー停止ボタン
７６    同  外部ブザー
８      マイクロシーケンサ（制御部）
９      電源スイッチ
９１    同  電源ケーブル
Ｈ      新雪量（高さ）
【図１】
2004326709.tif 000003
【図２】
2004326709.tif 000004
【図３】
2004326709.tif 000005
【図４】
2004326709.tif 000006
【図５】
2004326709.tif 000007
【図６】
2004326709.tif 000008